(57)【要約】【課題】この発明は、豚舎のベッドを清潔にすることを目的としたものである。【解決手段】この発明は、ベッドに排泄物を落下させるために複数の間隙を併設したものであって、前記間隙は、豚の足が嵌ったり、落ちたりしない幅であって、しかも糞尿などが容易に落下できるようにしたものである。この発明のベッドを清潔に保つと餌場も清潔になり、豚の汚れを減少させることができる。【選択図】      図１
2004208581.tif 000002
【特許請求の範囲】
【請求項１】
断面逆台形状の長尺ベッド材を小間隙を介して複数本並列設置したことを特徴とする豚用ベッド。
【請求項２】
小間隙は、１ｃｍ〜３ｃｍとしたことを特徴とする請求項１記載の豚用ベッド。
【請求項３】
長尺ベッド材は、高さ５０ｃｍ〜７０ｃｍ、長さ１００ｃｍ〜４００ｃｍ、上面幅２０ｃｍ〜３５ｃｍとしたことを特徴とする請求項１記載の豚用ベッド。
【請求項４】
床面の一側上へ、請求項１記載の豚用ベッドを設置すると共に、床面の他側へ糞尿落下用の簀の子状床を連設したことを特徴とする豚舎。
【請求項５】
豚用ベッドの面積は、床面積の３５％〜７０％としたことを特徴とする請求項４記載の豚舎。
【発明の詳細な説明】
【０００１】
【発明の属する技術分野】
この発明は、豚の生活面を可及的に清潔に保ち、以て豚の健康を保持すると共に発育を良好にすることを目的とした豚用ベッド及び豚舎に関する。
【０００２】
【従来の技術】
従来豚舎床は、緩傾斜のコンクリート仕上げとされており、一部に若干高い部分（ベッド用）を設けることも知られていた。また、豚舎の一側へ浅い溝を設けたり、深い溝を設けて簀の子の蓋をした構造も知られている。
【０００３】
【特許文献１】実開昭６２−２０２１５５
【０００４】
【発明により解決しようとする課題】
前記従来の床面は、泥と糞尿によって急速に汚れ、若干高い床面（ベッド）も、低い面と同様に汚れる問題点があった。
【０００５】
豚は元来清潔好きであるけれども、環境順応性が強く、床面が一旦泥糞に汚れると、そのままベッドまで汚し、遂には飼場床とベッドの見境もなく汚す習性があった。そこで、身体表面も汚れて、発育不振になったり、発病のおそれがあるので、度々洗浄その他の手入れを必要とする問題点があった。
【０００６】
【課題を解決するための手段】
この発明は、ベッドに所定間隔で小間隙を設け、汚物の落下（排除）を促進させると共に、通気性を保たせることにより、前記従来の問題点を解決したのである。
【０００７】
即ち、この発明は、断面逆台形状の長尺ベッド材を小間隙を介して複数本並列設置したことを特徴とする豚用ベッドである。また、小間隙は、１ｃｍ〜３ｃｍとしたものであり、長尺ベッド材は、高さ５０ｃｍ〜７０ｃｍ、長さ１００ｃｍ〜４００ｃｍ、上面幅２０ｃｍ〜３５ｃｍとしたものである。
【０００８】
次に、他の発明は、床面の一側上へ、請求項１記載の豚用ベッドを設置すると共に、床面の他側へ糞尿落下用の簀の子状床を連設したことを特徴とする豚舎であり、豚用ベッドの面積は、床面積の３５％〜７０％としたものである。
【０００９】
前記発明において、小間隙を１ｃｍ以上にしたのは、糞尿泥などを落下させるために必要な幅を確保するためである。また、上限を３ｃｍにしたのは、成豚の足先などが嵌らない幅にするためである。従って、仔豚の飼育に際しては狭い間隙を使用し、成豚に対しては、広い間隙を使用する。
【００１０】
一般に豚舎床面積は、成豚１頭に対し、０．７ｍ２前後を予定しており、ベッドの面積を床面積の３５％〜７０％としたのは、豚の生活環境を考慮したもので、１頭当りの面積の取りようによっても異なる。
【００１１】
この発明は、同一豚舎内の豚がほぼ全部寝ることができるベッド面積を想定し、かつ出来得る限り餌場などの生活床面を広く取るための設計的配慮である。前記において、豚は清潔を好むから、ベッド面が暫く清潔に保たれると、必然的にベッド面を汚さないようになり、これに伴って餌場の床面も汚さないようになるので、全体として清潔な豚舎となる。
【００１２】
例えば、従来は餌場はもとよりベッド上でも糞尿を出していたのが、ベッド上で糞尿をしなくなると、餌場でも糞尿を排泄する豚が少なくなり、殆どの豚は簀の子の所で排泄し、ベッド及び餌場を汚さなくなるからである。
【００１３】
その結果、豚の外面が汚れなくなり、発育良好（５％以上）で、罹病も少なくなることが判明した。
【００１４】
前記ベッドの材質は、鉄筋コンクリートが使用されているが、樹脂その他の材質でも良いことはいうまでもない。
【００１５】
【発明の実施の形態】
この発明は、ベッドに小間隙の溝を設けて糞尿が溜まらないようにしたので、該部も清潔に保ち、これにより餌場も清潔になる連鎖効果が認められた。豚の清潔志向を可能にし、清潔環境に適応させるものである。
【００１６】
この発明は、豚舎の床面の一部に前記溝付きベッドを設置することにより、ベッド上はもとより、他部の床状も清潔に保つことができる。
【００１７】
【実施例１】
この発明の実施例を図１（ａ）（ｂ）に基づいて説明する。断面逆台形状の長尺ベッド材１、１を、小間隙Ｓ０を介して複数個並列設置してベッド２を構成する。前記長尺ベッド材１、１は、断面逆台形状であるから、上部小間隙Ｓ０が２．５ｃｍならば、下部小間隙Ｓ１は７．０ｃｍとなる。また、長尺ベッド材１の上面幅Ｗ０が３０ｃｍならば、下面幅Ｗ１は２５ｃｍ位であり、長さは２００ｃｍ位、高さ７．０ｃｍ位であるが、前記寸法に限定させるものではない。
【００１８】
前記実施例において、ベッド２上で糞尿を排泄すれば、直ちに矢示３、４のように流下するので、ベッド２上へ長く留まるおそれはない。前記長尺ベッド材１の上面を凸面１０に形成すれば、糞尿の流下を容易にする。同様に、長尺ベッド材１を断面逆台形としたので、間隙は上が狭く、下が広くなっており、糞などが通り易くしてある。
【００１９】
【実施例２】
この発明の実施例を図２に基づいて説明する。コンクリート床６の一側上にベッド２を設置し、他側に簀の子床７を連設し、周囲に側壁８、８又は柵を設けて、この発明の豚舎９を構成する。前記コンクリート床６の表面は、前記簀の子床７に向かって緩傾斜に形成し、水洗等の掃除に際し、洗浄汚れがスムースに除去されるようになっている。図中５は餌箱である。
【００２０】
前記ベッド２には、小間隙Ｓ０が併設してあるので（図１）、ベッド２上へ排泄された汚物は前記小間隙Ｓ０から流下する。従って、ベッド２上は清潔に保持される。
【００２１】
前記ベッド２上が清潔になると、前記コンクリート床６の上面も汚すことが少なくなり、排泄の大部分は簀の子床でなされるために、豚舎全体が清潔に保たれる。
【００２２】
【発明の効果】
この発明によれば、豚が全身汚れることがなくなり、部分的汚れも激減して、発育も良好になる効果がある。又、糞を豚が直接踏まなくなるので、床面に糞がこびりつかなくなる。
【００２３】
また、豚舎の清掃も容易となり、時間的労力的節減も図りうる効果がある。更に、豚の出荷に際し、全身の汚れた豚は綺麗に洗浄しなければならなかったが、洗浄の必要性が激減した。
【図面の簡単な説明】
【図１】（ａ）  この発明の実施例の一部を省略した平面拡大図。
（ｂ）  同じく一部を省略した拡大断面図。
【図２】同じく豚舎の実施例の一部を省略した平面図。
【符号の説明】
１  長尺ベッド材
２  ベッド
５  餌箱
６  コンクリート床
７  簀の子床
９  豚舎
【図１】
2004208581.tif 000003
【図２】
2004208581.tif 000004